【手続補正書】
【提出日】平成18年10月23日(2006.10.23)
【手続補正１】
【補正対象書類名】明細書
【補正対象項目名】特許請求の範囲
【補正方法】変更
【補正の内容】
【特許請求の範囲】
【請求項１】  少なくとも主走査方向に離間したｎ（ｎ≧２）個の発光点を有するｍ（ｍ≧２）個の光源手段と、（ｎ×ｍ）本の光ビームを合成するビーム合成手段と、該ビーム合成手段からの（ｎ×ｍ）本の光ビームを偏向させる偏向手段と、該偏向手段からの（ｎ×ｍ）本の光ビームを被走査面上に結像させる結像光学系と、を有し、該偏向手段の偏向走査により該（ｎ×ｍ）本の光ビームで被走査面上を主走査方向に走査するマルチビーム光走査光学系において、
前記ｍ個の光源手段毎に前記ｎ個の発光点から出射した光ビームを前記ビーム合成手段に導光するカップリングレンズと、前記ビーム合成手段と前記偏向手段との間の光路中に設けられた絞りを備えており、
前記マルチビーム光走査光学系は、前記（ｎ×ｍ）本の光ビームの各主光線を主走査断面内において該絞りの位置で交差させ、該被走査面上において副走査方向に隣接する光ビームは互いに異なる光源手段から出射した光ビームとする光学系であり、
前記複数の発光点の主走査方向の間隔をＤ、該カップリングレンズの焦点距離をｆcol、前記絞りから前記偏向手段の偏向面までの距離をＬ1、前記結像光学系の主走査方向の焦点距離をffθ、前記被走査面上における主走査方向の記録密度をＤＰＩとするとき、
【数１】
2003107381.tif 000001
を満足するように該絞りを光路中に配置していることを特徴とするマルチビーム光走査光学系。
【請求項２】  前記ビーム合成手段から出射した（ｎ×ｍ）本の光ビームを前記偏向手段の偏向面に主走査方向に長い線像とする光学手段を有していることを特徴とする請求項１記載のマルチビーム光走査光学系。
【請求項３】  前記絞りは前記光学手段と前記偏向手段との間の光路中に配置されており、該光学手段から該偏向手段の偏向面の光反射点までの光軸方向の距離をＬｈ、前記光学手段から該絞りまでの光軸方向の距離をＬｐとするとき、
Ｌｈ／２＜Ｌｐ
を満足することを特徴とする請求項２記載のマルチビーム光走査光学系。
【請求項４】  少なくとも主走査方向に離間した２個の発光点を有する第１の光源手段と、１個の発光点を有する第２の光源手段と、３本の光ビームを合成するビーム合成手段と、該ビーム合成手段からの３本の光ビームを偏向させる偏向手段と、該偏向手段からの３本の光ビームを被走査面上に結像させる結像光学系と、を有し、該偏向手段の偏向走査により該３本の光ビームで被走査面上を主走査方向に走査するマルチビーム光走査光学系において、
前記第１の光源手段及び第２の光源手段毎に前記発光点から出射した光ビームを前記ビーム合成手段に導光するカップリングレンズと、前記ビーム合成手段と前記偏向手段との間の光路中に設けられた絞りを備えており、
前記マルチビーム光走査光学系は、前記３本の光ビームの各主光線を主走査断面内において該絞りの位置で交差させ、該被走査面上において副走査方向に隣接する光ビームは互いに異なる光源手段から出射した光ビームとする光学系であり、
前記複数の発光点の主走査方向の間隔をＤ、該カップリングレンズの焦点距離をｆcol、前記絞りから前記偏向手段の偏向面までの距離をＬ1、前記結像光学系の主走査方向の焦点距離をffθ、前記被走査面上における主走査方向の記録密度をＤＰＩとするとき、
【数２】
2003107381.tif 000002
を満足するように該絞りを光路中に配置していることを特徴とするマルチビーム光走査光学系。
【請求項５】  前記ビーム合成手段から出射した３本の光ビームを前記偏向手段の偏向面に主走査方向に長い線像とする光学手段を有していることを特徴とする請求項４記載のマルチビーム光走査光学系。
【請求項６】  前記絞りは前記光学手段と前記偏向手段との間の光路中に配置されており、該光学手段から該偏向手段の偏向面の光反射点までの光軸方向の距離をＬｈ、前記光学手段から該絞りまでの光軸方向の距離をＬｐとするとき、
Ｌｈ／２＜Ｌｐ
を満足することを特徴とする請求項５記載のマルチビーム光走査光学系。
【請求項７】  少なくとも主走査方向に離間したｎ（ｎ≧２）個の発光点を有するｍ（ｍ≧２）個の光源手段と、（ｎ×ｍ）本の光ビームを合成するビーム合成手段と、該ビーム合成手段からの（ｎ×ｍ）本の光ビームを偏向させる偏向手段と、該偏向手段からの（ｎ×ｍ）本の光ビームを被走査面上に結像させる結像光学系と、を有し、該偏向手段の偏向走査により該（ｎ×ｍ）本の光ビームで被走査面上を主走査方向に走査するマルチビーム光走査光学系において、
前記マルチビーム光走査光学系は、該被走査面上において副走査方向に隣接する光ビームは互いに異なる光源手段から出射した光ビームとする光学系であり、
前記光源手段からの（ｎ×ｍ）本の光ビームの夫々は、該光ビームの主走査方向の幅が前記偏向手段の偏向面の主走査方向の幅より広い幅で該偏向面に入射していることを特徴とするマルチビーム光走査光学系。
【請求項８】  少なくとも主走査方向に離間した２個の発光点を有する第１の光源手段と、１個の発光点を有する第２の光源手段と、３本の光ビームを合成するビーム合成手段と、該ビーム合成手段からの３本の光ビームを偏向させる偏向手段と、該偏向手段からの３本の光ビームを被走査面上に結像させる結像光学系と、を有し、該偏向手段の偏向走査により該３本の光ビームで被走査面上を主走査方向に走査するマルチビーム光走査光学系において、
前記マルチビーム光走査光学系は、該被走査面上において副走査方向に隣接する光ビームは互いに異なる光源手段から出射した光ビームとする光学系であり、
前記光源手段からの３本の光ビームの夫々は、該光ビームの主走査方向の幅が前記偏向手段の偏向面の主走査方向の幅より広い幅で該偏向面に入射していることを特徴とするマルチビーム光走査光学系。
【請求項９】  請求項１乃至８の何れか１項に記載のマルチビーム光走査光学系と、前記被走査面に配置された感光体と、前記マルチビーム光走査光学系で走査された光束によって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項１０】  請求項１乃至８の何れか１項に記載のマルチビーム光走査光学系と、外部機器から入力したコードデータを画像信号に変換して前記マルチビーム光走査光学系に入力せしめるプリンタコントローラとを有していることを特徴とする画像形成装置。
【手続補正２】
【補正対象書類名】明細書
【補正対象項目名】００１４
【補正方法】変更
【補正の内容】
【００１４】
【課題を解決するための手段】
請求項１の発明のマルチビーム光走査装置は、
少なくとも主走査方向に離間したｎ（ｎ≧２）個の発光点を有するｍ（ｍ≧２）個の光源手段と、（ｎ×ｍ）本の光ビームを合成するビーム合成手段と、該ビーム合成手段からの（ｎ×ｍ）本の光ビームを偏向させる偏向手段と、該偏向手段からの（ｎ×ｍ）本の光ビームを被走査面上に結像させる結像光学系と、を有し、該偏向手段の偏向走査により該（ｎ×ｍ）本の光ビームで被走査面上を主走査方向に走査するマルチビーム光走査光学系において、
前記ｍ個の光源手段毎に前記ｎ個の発光点から出射した光ビームを前記ビーム合成手段に導光するカップリングレンズと、前記ビーム合成手段と前記偏向手段との間の光路中に設けられた絞りを備えており、
前記マルチビーム光走査光学系は、前記（ｎ×ｍ）本の光ビームの各主光線を主走査断面内において該絞りの位置で交差させ、該被走査面上において副走査方向に隣接する光ビームは互いに異なる光源手段から出射した光ビームとする光学系であり、
前記複数の発光点の主走査方向の間隔をＤ、該カップリングレンズの焦点距離をｆcol、前記絞りから前記偏向手段の偏向面までの距離をＬ1、前記結像光学系の主走査方向の焦点距離をffθ、前記被走査面上における主走査方向の記録密度をＤＰＩとするとき、
【数３】
2003107381.tif 000003
を満足するように該絞りを光路中に配置していることを特徴としている。
【手続補正３】
【補正対象書類名】明細書
【補正対象項目名】００１５
【補正方法】変更
【補正の内容】
【００１５】
請求項２の発明は請求項１の発明において、
前記ビーム合成手段から出射した（ｎ×ｍ）本の光ビームを前記偏向手段の偏向面に主走査方向に長い線像とする光学手段を有していることを特徴としている。
【手続補正４】
【補正対象書類名】明細書
【補正対象項目名】００１６
【補正方法】変更
【補正の内容】
【００１６】
請求項３の発明は請求項２の発明において、
前記絞りは前記光学手段と前記偏向手段との間の光路中に配置されており、該光学手段から該偏向手段の偏向面の光反射点までの光軸方向の距離をＬｈ、前記光学手段から該絞りまでの光軸方向の距離をＬｐとするとき、
Ｌｈ／２＜Ｌｐ
を満足することを特徴としている。
【手続補正５】
【補正対象書類名】明細書
【補正対象項目名】００１７
【補正方法】変更
【補正の内容】
【００１７】
請求項４の発明のマルチビーム光走査装置は、
少なくとも主走査方向に離間した２個の発光点を有する第１の光源手段と、１個の発光点を有する第２の光源手段と、３本の光ビームを合成するビーム合成手段と、該ビーム合成手段からの３本の光ビームを偏向させる偏向手段と、該偏向手段からの３本の光ビームを被走査面上に結像させる結像光学系と、を有し、該偏向手段の偏向走査により該３本の光ビームで被走査面上を主走査方向に走査するマルチビーム光走査光学系において、
前記第１の光源手段及び第２の光源手段毎に前記発光点から出射した光ビームを前記ビーム合成手段に導光するカップリングレンズと、前記ビーム合成手段と前記偏向手段との間の光路中に設けられた絞りを備えており、
前記マルチビーム光走査光学系は、前記３本の光ビームの各主光線を主走査断面内において該絞りの位置で交差させ、該被走査面上において副走査方向に隣接する光ビームは互いに異なる光源手段から出射した光ビームとする光学系であり、
前記複数の発光点の主走査方向の間隔をＤ、該カップリングレンズの焦点距離をｆcol、前記絞りから前記偏向手段の偏向面までの距離をＬ1、前記結像光学系の主走査方向の焦点距離をffθ、前記被走査面上における主走査方向の記録密度をＤＰＩとするとき、
【数４】
2003107381.tif 000004
を満足するように該絞りを光路中に配置していることを特徴としている。
【手続補正６】
【補正対象書類名】明細書
【補正対象項目名】００１８
【補正方法】変更
【補正の内容】
【００１８】
請求項５の発明は請求項４の発明において、
前記ビーム合成手段から出射した３本の光ビームを前記偏向手段の偏向面に主走査方向に長い線像とする光学手段を有していることを特徴としている。
【手続補正７】
【補正対象書類名】明細書
【補正対象項目名】００１９
【補正方法】変更
【補正の内容】
【００１９】
請求項６の発明は請求項５の発明において、
前記絞りは前記光学手段と前記偏向手段との間の光路中に配置されており、該光学手段から該偏向手段の偏向面の光反射点までの光軸方向の距離をＬｈ、前記光学手段から該絞りまでの光軸方向の距離をＬｐとするとき、
Ｌｈ／２＜Ｌｐ
を満足することを特徴としている。
【手続補正８】
【補正対象書類名】明細書
【補正対象項目名】００２０
【補正方法】変更
【補正の内容】
【００２０】
請求項７の発明のマルチビーム光走査装置は、
少なくとも主走査方向に離間したｎ（ｎ≧２）個の発光点を有するｍ（ｍ≧２）個の光源手段と、（ｎ×ｍ）本の光ビームを合成するビーム合成手段と、該ビーム合成手段からの（ｎ×ｍ）本の光ビームを偏向させる偏向手段と、該偏向手段からの（ｎ×ｍ）本の光ビームを被走査面上に結像させる結像光学系と、を有し、該偏向手段の偏向走査により該（ｎ×ｍ）本の光ビームで被走査面上を主走査方向に走査するマルチビーム光走査光学系において、
前記マルチビーム光走査光学系は、該被走査面上において副走査方向に隣接する光ビームは互いに異なる光源手段から出射した光ビームとする光学系であり、
前記光源手段からの（ｎ×ｍ）本の光ビームの夫々は、該光ビームの主走査方向の幅が前記偏向手段の偏向面の主走査方向の幅より広い幅で該偏向面に入射していることを特徴としている。
【手続補正９】
【補正対象書類名】明細書
【補正対象項目名】００２１
【補正方法】変更
【補正の内容】
【００２１】
請求項８の発明のマルチビーム光走査装置は、
少なくとも主走査方向に離間した２個の発光点を有する第１の光源手段と、１個の発光点を有する第２の光源手段と、３本の光ビームを合成するビーム合成手段と、該ビーム合成手段からの３本の光ビームを偏向させる偏向手段と、該偏向手段からの３本の光ビームを被走査面上に結像させる結像光学系と、を有し、該偏向手段の偏向走査により該３本の光ビームで被走査面上を主走査方向に走査するマルチビーム光走査光学系において、
前記マルチビーム光走査光学系は、該被走査面上において副走査方向に隣接する光ビームは互いに異なる光源手段から出射した光ビームとする光学系であり、
前記光源手段からの３本の光ビームの夫々は、該光ビームの主走査方向の幅が前記偏向手段の偏向面の主走査方向の幅より広い幅で該偏向面に入射していることを特徴としている。
【手続補正１０】
【補正対象書類名】明細書
【補正対象項目名】００２２
【補正方法】変更
【補正の内容】
【００２２】
請求項９の発明の画像形成装置は、
請求項１乃至８の何れか１項に記載のマルチビーム光走査光学系と、前記被走査面に配置された感光体と、前記マルチビーム光走査光学系で走査された光束によって前記感光体上に形成された静電潜像をトナー像として現像する現像器と、現像されたトナー像を被転写材に転写する転写器と、転写されたトナー像を被転写材に定着させる定着器とを有することを特徴としている。
【手続補正１１】
【補正対象書類名】明細書
【補正対象項目名】００２３
【補正方法】変更
【補正の内容】
【００２３】
請求項１０の発明の画像形成装置は、
請求項１乃至８の何れか１項に記載のマルチビーム光走査光学系と、外部機器から入力したコードデータを画像信号に変換して前記マルチビーム光走査光学系に入力せしめるプリンタコントローラとを有していることを特徴としている。
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００４７
【補正方法】変更
【補正の内容】
【００４７】
また本実施形態においては走査面側から第１、第２の光源手段１，２を見たときの複数の発光点の主走査方向の間隔をＤ、カップリングレンズ３４の焦点距離をｆｃｏｌ、絞り９から光偏向器１０の偏向面１０ａまでの距離をＬ１、結像光学系１１の主走査方向の焦点距離をｆｆθ、被走査面１２上における主走査方向の記録密度をＤＰＩとするとき、
【手続補正２０】
【補正対象書類名】明細書
【補正対象項目名】００４８
【補正方法】変更
【補正の内容】
【００４８】
【数５】
2003107381.tif 000005